(57)【要約】【課題】非駐車時及び駐車時の何れにおいても、車輪受体と地面との間に段差ができることを防止することを目的とする。【解決手段】車輪止め１０を、凹部１４に設けられた地面１２と、凹部１４に被さり、周縁部を凹部１４の開口縁部に固定されたカバー１６と、凹部１４とカバー１６との間に配設されたゲル状流動体１８とで構成する。これにより、非駐車時及び駐車時の何れにおいても、カバー１６と地面１２との間に段差ができることを防止できる。【選択図】図１
2008121364.tif 000002
【特許請求の範囲】
【請求項１】
凹部と、
周縁部を前記凹部の開口縁部に固定されて前記凹部の少なくとも一部を被覆し、車両から荷重を受けると前記凹部の底側に少なくとも一部が移動する車輪受体と、
を有することを特徴とする車輪止め。
【請求項２】
前記車輪受体は、前記凹部の表面を覆うシート状部材とされ、
前記凹部と前記シート状部材との間に、車両から荷重を受けると変形し、車両から荷重を受けなくなると形状復元する形状復元手段を設けたことを特徴とする請求項１に記載の車輪止め。
【請求項３】
前記形状復元手段は、車両から荷重を受けると移動する流動体であることを特徴とする請求項２に記載の車輪止め。
【請求項４】
前記形状復元手段は、車両から荷重を受けると弾性収縮する弾性部材であることを特徴とする請求項２に記載の車輪止め。
【請求項５】
前記シート状部材は、弾性を有する部材であることを特徴とする請求項２乃至請求項４の何れか１項に記載の車輪止め。
【請求項６】
人の重量を受けたときの前記車輪受体の変形速度が、車両から荷重を受けたときの前記車輪受体の変形速度よりも遅くなるように構成されていることを特徴とする請求項１乃至請求項５の何れか１項に記載の車輪止め。
【請求項７】
前記車輪受体が人の重量を受けてもほとんど変形しないように構成されていることを特徴とする請求項１乃至請求項５の何れか１項に記載の車輪止め。
【発明の詳細な説明】
【技術分野】
【０００１】
本発明は、車輪止めに関する。
【背景技術】
【０００２】
地面に設けられた凹部上に地面と面一となるように配設された載置板（車輪受体）が、車両から荷重を受けて変位する車輪止めが考案されている（例えば、特許文献１参照）。この車輪止めでは、載置板に車両から荷重がかかった状態で、載置板の一部が地面から起き上がる等、地面と載置板との間に段差ができるようになっている。
【特許文献１】特開平９−３１７２３５号公報
【発明の開示】
【発明が解決しようとする課題】
【０００３】
本発明は上記事実を考慮し、非駐車時及び駐車時の何れにおいても、車輪受体と地面との間に段差ができることを防止することを目的とする。
【課題を解決するための手段】
【０００４】
請求項１に記載の車輪止めは、凹部と、周縁部を前記凹部の開口縁部に固定されて前記凹部の少なくとも一部を被覆し、車両から荷重を受けると前記凹部の底側に少なくとも一部が移動する車輪受体と、を有することを特徴とする。
【０００５】
請求項１に記載の車輪止めでは、凹部の少なくとも一部を被覆する車輪受体が、車両から荷重を受けると凹部の底側へ少なくとも一部を移動させることで、車輪止めの機能が発揮される。ここで、車輪受体の周縁部が凹部の開口縁部に固定されており、車輪受体の周縁部が凹部の開口縁部に対して相対的に変位不能となっているので、車輪受体と地面との間に段差ができることを防止できる。
【０００６】
請求項２に記載の車輪止めは、請求項１に記載の車輪止めであって、前記車輪受体は、前記凹部の表面を覆うシート状部材とされ、前記凹部と前記シート状部材との間に、車両から荷重を受けると変形し、車両から荷重を受けなくなると形状復元する形状復元手段を設けたことを特徴とする。
【０００７】
請求項２に記載の車輪止めでは、凹部と該凹部の表面を覆うシート状部材との間に配設された形状復元手段が、車両から荷重を受けると変形し、車両から荷重を受けなくなると形状復元する。これによって、車両から荷重を受けたときのシート状部材の凹部の底側への変形を妨げることなく、車両から荷重を受けなくなったときのシート状部材の形状復元を促進させることが可能である。
【０００８】
請求項３に記載の車輪止めは、請求項２に記載の車輪止めであって、前記形状復元手段は、車両から荷重を受けると移動する流動体であることを特徴とする。
【０００９】
請求項３に記載の車輪止めでは、形状復元手段を、車両から荷重を受けると移動する流動体とすることで、形状復元手段がゴムやスポンジ等のように繰り返しの使用によってへたることを防止している。これによって、形状復元手段の耐久性の向上が可能となり、以って、車輪止め全体の耐久性の向上が可能となる。
【００１０】
請求項４に記載の車輪止めは、請求項２に記載の車輪止めであって、前記形状復元手段は、車両から荷重を受けると弾性収縮する弾性部材であることを特徴とする。
【００１１】
請求項４に記載の車輪止めでは、形状復元手段を、車両から荷重を受けると弾性収縮する部材とすることで、車両から荷重を受けた形状復元手段の水平方向への広がりを抑制している。これによって、形状復元手段の設置スペースの狭小化が可能となり、以って、車輪止め全体の小型化が可能となる。
【００１２】
請求項５に記載の車輪止めは、請求項１乃至請求項５の何れか１項に記載の車輪止めであって、前記シート状部材は、弾性を有する部材であることを特徴とする。
【００１３】
請求項５に記載の車輪止めでは、シート状部材が弾性を有る部材となっていることによって、シート状部材を張られた状態で凹部の開口縁部に固定することが可能となっており、車両から荷重を受けていない状態のシート状部材を平坦に構成することが可能となっている。
【００１４】
請求項６に記載の車輪止めは、請求項１乃至請求項５の何れか１項に記載の車輪止めであって、人の重量を受けたときの前記車輪受体の変形速度が、車両から荷重を受けたときの前記車輪受体の変形速度よりも遅くなるように構成されていることを特徴とする。
【００１５】
請求項６に記載の車輪止めでは、車輪受体が、人の重量を受けたときは、車両から荷重を受けたときよりもゆっくりと凹部の底側へ移動する。
【００１６】
請求項７に記載の車輪止めは、請求項１乃至請求項５の何れか１項に記載の車輪止めであって、前記車輪受体が人の重量を受けてもほとんど変形しないように構成されていることを特徴とする。
【００１７】
請求項７に記載の車輪止めでは、車輪受体に人の重量がかかった際に、車輪受体が凹部の底側へほとんど移動しない。
【発明の効果】
【００１８】
以上説明したように、本発明によれば、非駐車時及び駐車時の何れにおいても、車輪受体と地面との間に段差ができることを防止できる。
【発明を実施するための最良の形態】
【００１９】
次に、本発明の車輪止めの一実施形態を図１乃至図５に従って説明する。
【００２０】
なお、図中矢印Ｐは駐車スペースに駐車する車両の進行方向である駐車方向を、矢印Ｇは重力方向を示す。
【００２１】
図１、図２に示すように、本発明の第１実施形態の車輪止め１０は、公共駐車場用や家庭用等の駐車スペース１１の地面１２に設けられた凹部１４と、凹部１４に被せられた車輪受体としてのカバー１６と、凹部１４とカバー１６との間に配設された形状復元手段、流動体としてのゲル状流動体１８とを備えている。
【００２２】
凹部１４は、駐車スペース１１の駐車方向と直交する方向（以下、横方向という）から見た断面形状が逆台形状となっており、略水平な底部１４Ａの駐車方向上流側に傾斜部１４Ｂが形成され、下流側に傾斜部１４Ｃが形成されている。傾斜部１４Ｃは、傾斜部１４Ｂよりも急勾配になっており、傾斜部１４Ｂよりも車輪２０が乗り越え難くなっている。
【００２３】
また、図３に示すように、凹部１４は、平面視にて、駐車スペース１１の横方向を長手方向とする矩形状をしており、凹部１４の長手方向の両端部に車両１の一対の後輪２０Ａ又は一対の後輪２０Ｂが、落ち込むようになっている。
【００２４】
また、図１、図２に示すように、凹部１４には、凹部１４の表面形状に倣った形状のフレーム２２が嵌め込まれており、このフレーム２２の周縁部にカバー１６の周縁部が固定されている。カバー１６は、弾性を有するゴム素材等の弾性変形可能な素材により形成されたシート状部材であり、張られた平坦な状態でフレーム２２に固定されている。
【００２５】
ここで、駐車スペース１１の地面１２は、土間２４の上に仕上げ材層２６を形成した構成となっているが、カバー１６は、仕上げ材層２６と面一となるように配設されており、カバー１６と地面１２との境界に段差ができないようになっている。
【００２６】
また、ゲル状流動体１８は、変形可能な袋２８に封入されており、凹部１４の長手方向の全域に渡って、凹部１４とカバー１６との間に充填されている。このゲル状流動体１８の流動抵抗（硬度）は、車輪２０から入力される車両１の荷重により圧迫されると直ちに流動し、人の体重程度の荷重を受けただけでは急速には流動しない程度に、設定されている。
【００２７】
次に、本実施形態による作用について説明する。
【００２８】
図３に示すように、車両１が後向き又は前向きに駐車スペース１１に進入し、車輪２０が車輪止め１０上に来ると、図２に示すように、車輪２０からカバー１６、及びゲル状流動体１８に車両１の荷重がかかり、ゲル状流動体１８が圧迫される。
【００２９】
これによって、ゲル状流動体１８が、特に、車輪２０の軸方向（凹部１４の長手方向）へ流動して、ゲル状流動体１８の荷重入力位置における量が減少し、ゲル状流動体１８及びカバー１６の荷重入力位置に、車輪２０の形状に倣った形状の凹みができ、車輪２０が凹部１４の底部１４Ａまで沈み込む。
【００３０】
この際、図３に示すように、ゲル状流動体１８（斜線で図示）は、凹部１４の長手方向中央側に偏り、凹部１４の長手方向中央部において、膨れ上がる。
【００３１】
そして、図２に示すように、さらに車両１が駐車方向に進み、車輪２０が、傾斜部１４Ｂよりも急勾配である傾斜部１４Ｃに、カバー１６を介して当ることによって、車輪止め１０の機能が発揮されるようになる。
【００３２】
一方、車両１が駐車スペース１１から退出する際に、車輪２０が、傾斜部１４Ｃよりも勾配が緩やかである傾斜部１４Ｂを乗り越え、カバー１６及びゲル状流動体１８に車両１の荷重がかからなくなり、ゲル状流動体１８が圧迫状態から開放されると、凹部１４の長手方向中央側に偏って膨れ上がっていたゲル状流動体１８が、凹部１４の長手方向両端側へ流動することによって、ゲル状流動体１８の荷重入力位置における凹みが無くなる。
【００３３】
即ち、ゲル状流動体１８が元の形状に復帰し、それに伴って、カバー１６も元の平坦な状態に復帰する。
【００３４】
また、カバー１６上に人が乗った際には、ゲル状流動体１８に急速な流動が起きることがなく、カバー１６が急速に凹むことがないようになっている。
【００３５】
以上、本実施形態では、カバー１６の周縁部をフレーム２２の周縁部を介して凹部１４の開口縁部に固定したことによって、カバー１６の周縁部が、地面１２に対して相対的に重力方向に変位しないので、カバー１６と地面１２との間に段差や隙間ができることを防止できる。
【００３６】
また、車両１の荷重を受けて潰れ変形し、車両１の荷重を受けなくなると形状復元するゲル状流動体１８を、凹部１４とカバー１６との間に配設したことによって、車両１の荷重を受けたカバー１６の凹部１４の底側への変形を妨げることなく、車両１の荷重がかからなくなったカバー１６の形状復元を促進することが可能である。
【００３７】
また、凹部１４とカバー１６との間において車両１の荷重を受けると潰れ変形し、車両１の荷重を受けなくなると形状復元する形状復元手段をゲル状流動体１８としたことによって、形状復元手段がゴムやスポンジ等のように繰り返しの使用によってへたることを防止できるので、形状復元手段の耐久性の向上が可能であり、以って、車輪止め１０全体の耐久性の向上が可能である。
【００３８】
また、カバー１６を、弾性を有するシート状部材としたことによって、カバー１６を張られた状態で凹部１４の開口縁部に固定することが可能なので、車両１の荷重がかかっていない状態のカバー１６を平坦に構成することが可能である。
【００３９】
なお、本実施形態では、左側の車輪２０に対して機能する車輪止めと、右側の車輪２０に対して機能する車輪止めとを一体で構成したが、これらは分割しても良い。
【００４０】
次に、本発明の第２実施形態について説明する。なお、第１実施形態と同様の構成には同一の符号を付し、説明は省略する。
【００４１】
図４に示すように、車輪止め１００では、凹部１４とカバー１６との間に、形状復元手段としての弾性部材３０が配設されている。この弾性部材３０は、スポンジ等の発泡弾性体で形成されており、凹部１４とカバー１６との間に隙間無く充填されている。
【００４２】
なお、弾性部材３０としては、車両の荷重を受けた際に弾性収縮可能である部材であり、且つ、人の体重程度の荷重を受けて変形しない（ほとんど変形しない）、または、人の体重程度の荷重を受けた時には、車両の荷重を受けた時のような急速な変形をしないというばね性を有する部材であれば適用可能であり、樹脂製、ゴム製、及び金属製の弾性体等も適用可能である。
【００４３】
次に、本実施形態による作用について説明する。
【００４４】
車輪２０からカバー１６、及び弾性部材３０に車両の荷重がかかると、弾性部材３０が弾性収縮して、弾性部材３０及びカバー１６の荷重入力位置に、車輪２０の形状に倣った形状の凹みができ、車輪２０が凹部１４の底部１４Ａまで沈み込む。これによって、車輪止め１００の機能が発揮されるようになる。
【００４５】
一方、カバー１６及び弾性部材３０に車両の荷重がかからなくなると、弾性部材３０が弾性復帰し、弾性部材３０の凹みが無くなって、カバー１６も元の平坦な状態に復帰する。
【００４６】
また、カバー１６上に人が乗った際には、弾性部材３０及びカバー１６が、車両の荷重を受けた際のように急速に凹むことが無く、または、凹まない。
【００４７】
以上、本実施例では、凹部１４とカバー１６との間において車両の荷重を受けると潰れ変形し、車両の荷重を受けなくなると形状復元する形状復元手段を弾性部材３０としたことによって、車両の荷重入力時の形状復元手段の水平方向への広がりを抑制できるので、形状復元手段の設置スペースを狭小化でき、車輪止め１００全体を小型化できる。
【００４８】
次に、車輪止め１０、１００の変形例（開示例）について説明する。
【００４９】
図５（Ａ）、（Ｂ）に示すように、車輪止め２００は、駐車スペース１１の地面１２に設けられた凹部３２と、凹部３２に被せられたカバー３４とを備えている。凹部３２は、駐車スペース１１の横方向から見た断面形状が、駐車方向を長手方向とする矩形状となっている。また、カバー３４は、弾性変形可能な板材であり、凹部３２の開口縁部の駐車方向上流側に片持ち状態で略水平に支持されている。また、カバー３４の凹部３２の開口縁部に支持されている部分を除く周縁部と、凹部３２の側壁との間には、隙間が空けられており、カバー３４の弾性変形が凹部３２の側壁によって妨げられることが無いようになっている。
【００５０】
ここで、カバー３４は、車輪２０から車両の荷重を受けた際に、駐車方向下流側（非支持側）が垂れ下がるように弾性変形し、人の体重程度の荷重を受けた際には弾性変形しないように、ばね定数を設定されている。
【００５１】
次に、本実施例による作用について説明する。
【００５２】
車輪２０からカバー３４に車両の荷重がかかると、カバー３４が、非支持側が垂れ下がるように弾性変形し、車輪２０が凹部３２の底側に沈み込む。これによって、車輪止め２００が機能を発揮できるようになる。
【００５３】
一方、カバー３４に車両の荷重がかからなくなると、カバー３４が元の略水平な状態に弾性復帰する。
【００５４】
以上、本発明を特定の実施形態について詳細に説明したが、本発明はかかる実施形態に限定されるものではなく、本発明の範囲内にて他の種々の実施形態が可能であることは当業者にとって明らかである。
【００５５】
例えば、本実施形態では、車輪受体と形状復元手段とを別体としたが、請求項１に記載の発明の実施形態では、これらを一部材で構成しても良いし、或いは別体のものを接着等により一体化した構成にしても良い。例えば、前者の例としては、ブロック状の弾性部材の周縁部を凹部の開口縁部に固定したもの等を挙げることができる。
【００５６】
また、本実施形態では、シート状部材を弾性を有する部材としたが、請求項２に記載の発明の実施形態では、シート状部材が弾性を有する部材であることは必須では無い。例えば、弛んだ状態の弾性が無いシート状部材の周縁部を凹部の開口縁部に固定したもの等を挙げることができる。
【図面の簡単な説明】
【００５７】
【図１】本発明の第１実施形態に係る車輪止めを示す断面図である。
【図２】本発明の第１実施形態に係る車輪止めを示す断面図である。
【図３】本発明の第１実施形態に係る車輪止めを示す平面図である。
【図４】本発明の第２実施形態に係る車輪止めを示す断面図である。
【図５】（Ａ）、（Ｂ）は、本発明の第１、第２実施形態に係る車輪止めの変形例（開示例）を示す断面図である。
【符号の説明】
【００５８】
１０      車輪止め
１４      凹部
１６      カバー（車輪受体、シート状部材）
１８      ゲル状流動体（形状復元手段、流動体）
３０      弾性部材（形状復元手段）
１００    車輪止め
【図１】
2008121364.tif 000003
【図２】
2008121364.tif 000004
【図３】
2008121364.tif 000005
【図４】
2008121364.tif 000006
【図５】
2008121364.tif 000007